(57)【要約】【課題】簡素な構造で、部品点数が少なく、コストを低減し、製造容易となる物品ホルダーを提供すること。【解決手段】被取付体の任意の位置にて物品を保持する物品ホルダー１であり、アームベース２と、アームベース２の外側面からアームベース２内に挿入された挿入部１３ａ，１３ｂと、アームベース２の前面側に突出した突出部１４ａ，１４ｂとを有する一対のアーム１２ａ，１２ｂと、一対のアーム１２ａ，１２ｂをアームベース２の幅方向Ｘに相対伸縮させる相対伸縮機構とを備え、更に、アームベース２の一方の内側面と挿入部１３ａの途中の突当面１５との間、アームベース２の他方の内側面と挿入部１３ｂの途中の突当面１５との間にそれぞれ付勢部材２１を備え、付勢部材２１により、一対のアーム１２ａ，１２ｂを互いに引き付け合う方向に付勢した。【選択図】図２
0003164223.tif 000002
【実用新案登録請求の範囲】
【請求項１】
被取付体の任意の位置に取り付けられ、該位置にて物品を保持する物品ホルダーであって、
前記物品が前面に配置されるアームベースと、
前記アームベースの一方の外側面から該アームベース内に挿入された一方の挿入部と、該一方の挿入部の外側端部に設けられ前記アームベースの前面側に突出した一方の突出部とを有する一方のアームと、
前記アームベースの他方の外側面から該アームベース内に挿入された他方の挿入部と、該他方の挿入部の外側端部に設けられ前記アームベースの前面側に突出した他方の突出部とを有する他方のアームと、
前記一方及び他方の挿入部の対向する面に設けられたラックと、該ラックの間に設けられたピニオンとからなり、前記一方及び他方のアームを前記アームベースの幅方向に相対伸縮させる相対伸縮機構と、を備えるとともに、
前記アームベースの一方の内側面と前記一方の挿入部の途中に設けられた突当面との間、前記アームベースの他方の内側面と前記他方の挿入部の途中に設けられた突当面との間にそれぞれ付勢部材を備え、該付勢部材により、前記一方及び他方のアームが互いに引き付け合う方向に付勢されていることを特徴とする物品ホルダー。
【請求項２】
前記一方及び他方の突出部の対向する面には軟質樹脂からなる保持面が設けられており、更に、前記保持面は波状に加工されていることを特徴とする請求項１記載の物品ホルダー。
【考案の詳細な説明】
【技術分野】
【０００１】
本考案は、携帯電話機や携帯型オーディオ・ビジュアル機器などの物品を保持する物品ホルダーに関する。
【背景技術】
【０００２】
携帯電話機や携帯型オーディオ・ビジュアル機器などは、本来の用途に加えて、テレビやビデオ映像などを表示することができるようになっている。そこで、これらの携帯電話機や携帯型オーディオ・ビジュアル機器などの物品を自動車の室内などにて保持する物品ホルダーが考えられている。
【０００３】
従来の物品ホルダーとして、例えば下記特許文献１に開示されるものがある。この物品ホルダーは、取付ベースに固定される固定板と、固定板に回転可能に設けられた回転板と、固定板と回転板の間に設けられ、回転板の回転を所定角度（例えば９０°）ごとに規制する回転規制板と、回転板の前面に設けられたアームベースにその幅方向に相対伸縮自在に設けられた一対のスライドアームとを備え、更に、一対のスライドアームのそれぞれの先端部に設けられるとともに、アームベースの幅方向の内側に向けて回動可能に設けられたチャックと、チャックの回動を付勢するバネ部材と、チャックの対向する内面に設けられたクッションパッドとを備えたものである。
【０００４】
上述した物品ホルダーによれば、アームベースの幅方向（つまり、保持物品の幅方向）に相対伸縮する一対のスライドアームによって様々な物品の幅サイズに対応可能となり、また、一対のスライドアームに設けられたチャックが幅方向の内側に回動するとともに、その回動が付勢されているため、クッションパッドの弾性力とあいまって物品をソフトに、且つ強力に保持し、さらに、回転板が回転軸を中心に回転することによって保持物品の向きを容易に変更可能となるなどの優れた効果が得られる。
【先行技術文献】
【特許文献】
【０００５】
【特許文献１】実用新案登録第３１５１５４６号公報
【考案の開示】
【考案が解決しようとする課題】
【０００６】
しかしながら、上記特許文献１に開示される従来の物品ホルダーは、チャックの構造やクッションパッドの構造が複雑なものであり、したがって、部品点数が増えていた。また、物品を保持するときには、アームベースの幅方向に相対伸縮する一対のスライドアームを物品を挟んだ状態で固定する必要があるため、従来の物品ホルダーは、上述した構成に加えて、一対のスライドアームを固定するためのロック機構を備えている。ロック機構の構造は、一対のスライドアームの各スライドに設けられたラックにロック部材の突起部を噛合させて固定するという複雑なものであり、このようなロック機構を備えている従来の物品ホルダーの部品点数は更に増加していた。
【０００７】
そこで本考案は、上記状況に鑑みてなされたもので、物品を好適に保持するとともに、簡素な構造であり、部品点数が少なく、したがって、コスト低減可能となり、製造容易となる物品ホルダーを提供することを目的としている。
【課題を解決するための手段】
【０００８】
次に、上記の課題を解決するための手段を、実施の形態に対応する図面を参照して説明する。
本考案の請求項１記載の物品ホルダーは、被取付体の任意の位置に取り付けられ、該位置にて物品Ａを保持する物品ホルダー１であって、
前記物品Ａが前面に配置されるアームベース２と、
前記アームベース２の一方の外側面から該アームベース２内に挿入された一方の挿入部１３ａと、該一方の挿入部１３ａの外側端部に設けられ前記アームベース２の前面側に突出した一方の突出部１４ａとを有する一方のアーム１２ａと、
前記アームベース２の他方の外側面から該アームベース２内に挿入された他方の挿入部１３ｂと、該他方の挿入部１３ｂの外側端部に設けられ前記アームベース２の前面側に突出した他方の突出部１４ｂとを有する他方のアーム１２ｂと、
前記一方及び他方の挿入部１３ａ，１３ｂの対向する面に設けられたラック１７，１７と、該ラック１７，１７の間に設けられたピニオン１０とからなり、前記一方及び他方のアーム１２ａ，１２ｂを前記アームベース２の幅方向Ｘに相対伸縮させる相対伸縮機構と、を備えるとともに、
前記アームベース２の一方の内側面と前記一方の挿入部１３ａの途中に設けられた突当面１５との間、前記アームベース２の他方の内側面と前記他方の挿入部１３ｂの途中に設けられた突当面１５との間にそれぞれ付勢部材２１を備え、該付勢部材２１により、前記一方及び他方のアーム１２ａ，１２ｂが互いに引き付け合う方向に付勢されていることを特徴としている。
【０００９】
請求項２記載の物品ホルダーは、前記一方及び他方の突出部１４ａ，１４ｂの対向する面には軟質樹脂からなる保持面１８が設けられており、更に、前記保持面１８は波状に加工されていることを特徴としている。
【００１０】
なお、上述した物品ホルダー１は、前記アームベース２の後面に接着面６が設けられている。これにより、物品ホルダー１を被取付体に簡単に取り付けられるようになる。
【考案の効果】
【００１１】
本考案の物品ホルダーによれば、アームベースの幅方向に相対伸縮する一方及び他方のアームが引き付け合う方向に付勢されているため、一方及び他方の突出部の間に挟み込むだけで物品を保持することができる。すなわち、従来のように突出部に特別な構造を付加する必要がなくなり、これに加えて、一方及び他方のアームを固定するためのロック機構などが不要となるため、構造が簡素になり、部品点数を少なくすることができる。これにより、コストの低減が可能になるとともに、製造容易となる。また、付勢部材をアームベース内に備えている構成であるため、コンパクトとなる。
【００１２】
また、物品を保持する保持面が軟質樹脂からなり、保持面が波状に加工されていることにより、物品の保持力は高まりながらも、物品を傷つけずに保持することができる。
【図面の簡単な説明】
【００１３】
【図１】本考案の実施の形態を示す正面図、平面図、側面図である。
【図２】同実施の形態を示す分解斜視図である。
【図３】（ａ）同実施の形態が備える一方及び他方のアームが相対的に縮んだ状態を示す背面図である（後面板省略）。  （ｂ）同実施の形態が備える一方及び他方のアームが相対的に伸びた状態を示す背面図である（後面板省略）。
【図４】同実施の形態が物品を保持した状態を示す正面図である。
【考案を実施するための形態】
【００１４】
以下、本考案の実施の形態を図面を参照して具体的に説明する。
この実施の形態（物品ホルダー１）は、主に自動車の室内のダッシュボードなどに取り付けられ、ダッシュボード上にて携帯電話機や携帯型オーディオ・ビジュアル機器などの物品を保持するためのものである。
【００１５】
図１，２に示すように、物品ホルダー１は、アームベース２と、一対のアームとを主な構成要素として備えている。アームベース２は、特に図２に示すように、前面板３と、後面板４とを前後に組み合わせて構成され、組み合わせた状態では略矩形状となる。前面板３の外面、すなわち、アームベース２の前面にはフェルトなどのクッションシート５が設けられ、後面板４の外面、すなわち、アームベース２の後面には接着面となる接着シート６が設けられている。物品ホルダー１は、アームベース２後面の接着シート６によってダッシュボードなどの被取付体の任意の位置に取り付けられる。
【００１６】
前面板３と後面板４とを前後に組み合わせ、これらをビス７により固定して形成されたアームベース２は、両側面８，８にそれぞれ開口９，９を備えている。これらの開口９，９の略中央には各開口９，９を上下に仕切るように側面８が残存している。また、アームベース２内の略中央にはピニオン１０が設けられている。さらに、アームベース２内において、後面板４の中央にはこのアームベース２の長手方向（幅方向Ｘ）に伸びた凹部１１，１１が上下に並んで設けられている。これらの凹部１１，１１は、一対のアーム１２ａ，１２ｂのガイドレールとなる。
【００１７】
アームベース２には一対のアーム１２ａ，１２ｂが設けられている。一方のアーム１２ａは、アームベース２の幅方向Ｘに伸びて、アームベース２の側面８（外側面）からアームベース２内に挿入される一方の挿入部１３ａと、この挿入部１３ａの外側端部に設けられ、アームベース２の前面側に突出している一方の突出部１４ａとを備えている。一方の挿入部１３ａは、平行配置された二つの長板からなり、挿入部１３ａの途中位置で、且つ二つの長板の間にはアームベース２の側面８（内側面）と対向するように突当面１５が設けられている。突当面１５には先端が挿入部１３ａの外側端部に向いた軸１６が設けられている。また、挿入部１３ａの二つの長板のうち、どちらかの内面にはラック１７が設けられている。なお、図２に示す例では、挿入部１３ａの下側の長板にラック１７が設けられている。
【００１８】
一方の突出部１４ａは、略矩形状をなしており、一方の挿入部１３ａと直交するように設けられている。したがって、挿入部１３ａと突出部１４ａとからなるアーム１２ａは略Ｌ字形状となる。一方の突出部１４ａの内側の面にはゴムなどの軟質樹脂からなる保持面１８が設けられている。また、保持面１８は、上下に伸びた複数の凸条１８ａが前後方向に並んで略波状に加工されている。
【００１９】
他方のアーム１２ｂは、上述した一方のアーム１２ａと同様に、アームベース２の幅方向Ｘに伸びて、アームベース２の側面８（外側面）からアームベース２内に挿入される他方の挿入部１３ｂと、この挿入部１３ｂの外側端部に設けられ、アームベース２の前面側に突出している他方の突出部１４ｂとを備えている。他方の挿入部１３ｂは、平行配置された二つの長板からなり、挿入部１３ｂの途中位置で、且つ二つの長板の間にはアームベース２の側面８（内側面）と対向するように突当面１５が設けられている。突当面１５には先端が挿入部１３ｂの外側端部に向いた軸１６が設けられている。また、挿入部１３ｂの二つの長板のうち、どちらかの内面にはラック１７が設けられている。なお、図２に示す例では、挿入部１３ｂの上側の長板にラック１７が設けられている。
【００２０】
他方の突出部１４ｂは、略矩形状をなしており、他方の挿入部１３ｂと直交するように設けられている。したがって、挿入部１３ｂと突出部１４ｂとからなるアーム１２ｂは略Ｌ字形状となる。他方の突出部１４ｂの内側の面にはゴムなどの軟質樹脂からなる保持面１８が設けられている。また、保持面１８は、上下に伸びた複数の凸条１８ａが前後方向に並んで略波状に加工されている。
【００２１】
図３に示すように、一対のアーム１２ａ，１２ｂのそれぞれの挿入部（一方の挿入部１３ａ、他方の挿入部１３ｂ）に設けられたラック１７，１７の間にはピニオン１０が配置されており、各ラック１７，１７がピニオン１０と噛合して一対のアーム１２ａ，１２ｂが幅方向Ｘに相対的に伸縮するようになる。すなわち、挿入部１３ａ，１３ｂの各ラック１７，１７と、ピニオン１０とは一対のアーム１２ａ，１２ｂの相対伸縮機構を構成している。なお、一対のアーム１２ａ，１２ｂのそれぞれの挿入部１３ａ，１３ｂの各二つの長板の間に設けられた各突当面１５の後面板４側には、上下に凸部１９ａ，１９ａ，１９ｂ，１９ｂが設けられている。これらの凸部（一方の挿入部１３ａに設けられた凸部１９ａ，１９ａ、他方の挿入部１３ｂに設けられた凸部１９ｂ，１９ｂ）が後面板４に設けられた凹部からなるガイドレール１１，１１に沿ってスライドすることで、一対のアーム１２ａ，１２ｂの相対伸縮をガイドする。
【００２２】
図２，３に示すように、アームベース２の一方の内側面８と一方のアーム１２ａの突当面１５との間には付勢部材としてのコイルバネ２１が軸１６に挿通された状態で取り付けられている。一方のアーム１２ａは、このコイルバネ２１により、幅方向Ｘの内側に向けて付勢されている。また同様に、アームベース２の他方の内側面８と他方のアーム１２ｂの突当面１５との間には付勢部材としてのコイルバネ２１が軸１６に挿通された状態で取り付けられている。他方のアーム１２ｂは、このコイルバネ２１により、幅方向Ｘの内側に向けて付勢されている。したがって、一対のアーム１２ａ，１２ｂは、互いに引き付け合う方向に付勢されている。
【００２３】
すなわち、図３（ａ）に示すように、一対のアーム１２ａ，１２ｂは、何も力を加えていない状態では、アームベース２の内側面８と一方及び他方の挿入部１３ａ，１３ｂの突当面１５，１５との間にてコイルバネ２１，２１が伸長しようとする力（付勢力）により、互いに引き付け合い、アームベースの両側部に配置されている。図３（ｂ）に示すように、一対のアーム１２ａ，１２ｂの一方又は両方を手指などにより幅方向Ｘに広げると、コイルバネ２１，２１は同じ量だけ縮み、一対のアーム１２ａ，１２ｂは、同等、且つ強力な付勢力で引き付け合う方向に付勢されるようになる。
【００２４】
これにより、図４に示すように、物品ホルダー１が携帯電話機などの物品Ａを保持するときには、一対のアーム１２ａ，１２ｂのそれぞれの突出部１４ａ，１４ｂが物品Ａの幅分だけ広がり、さらに、これらの引き付け合う力が保持力となり、その保持力にて物品Ａを保持する。これに加えて、アームベース２の前面のクッションシート５、突出部１４ａ，１４ｂの保持面１８により、物品ホルダー１による物品Ａの保持力は高まり、好適に物品Ａを保持することができる。
【００２５】
上述した実施の形態によれば、アームベース２の幅方向Ｘに相対伸縮する一対のアーム１２ａ，１２ｂが引き付け合う方向に付勢されているため、それぞれの突出部１４ａ，１４ｂの間に挟み込むだけで物品Ａを保持することができる。そのため、構造が簡素になり、部品点数を少なくすることができる。これにより、コストの低減が可能になるとともに、製造容易となる。また、付勢部材としてのコイルバネ２１をアームベース２内に備えている構成であるため、コンパクトとなる。
【００２６】
また、物品Ａを保持する保持面１８がゴムなどの軟質樹脂からなり、保持面１８が複数の凸条１８ａからなる波状に加工されていることにより、物品Ａの保持力は高まりながらも、物品Ａを傷つけずに保持することができる。
【００２７】
さらに、アームベース２の後面の接着シート６により、この物品ホルダー１を被取付体に簡単に取り付けられるようになる。
【００２８】
また、アームベース２に設けられているピニオン１０に、一対のアーム１２ａ，１２ｂの各挿入部１３ａ，１３ｂに設けられているラック１７，１７が噛合することによって、二つのアーム１２ａ，１２ｂの相対伸縮が可能となる。
【００２９】
なお、上述した実施の形態では、物品ホルダー１を自動車室内のダッシュボードに取り付けて使用する例としているが、被取付体として家庭やオフィスなどの一般的な机などの身近なものに取り付けて使用することもできる。
【符号の説明】
【００３０】
１…物品ホルダー
２…アームベース
１０…ピニオン
１２ａ…一方のアーム
１２ｂ…他方のアーム
１３ａ…一方の挿入部
１３ｂ…他方の挿入部
１４ａ…一方の突出部
１４ｂ…他方の突出部
１５…突当面
１７…ラック
１８…保持面
２１…付勢部材（コイルバネ）
Ａ…物品
Ｘ…（アームベースの）幅方向
【図１】
0003164223.tif 000003
【図２】
0003164223.tif 000004
【図３】
0003164223.tif 000005
【図４】
0003164223.tif 000006